(57)【要約】【課題】  プレイリストに指定されたデータを容易に認識可能とする。【解決手段】  画像データを含む画像ファイルを記録媒体に記録する記録手段と、前記記録媒体に記録された画像データの再生順序を示すプレイリストを生成するプレイリスト処理手段と、前記記録媒体に記録された画像ファイルのうち、前記プレイリスト処理手段により生成されたプレイリストにて参照されている画像ファイルに対して前記プレイリストにより指定されていることを示すリンク情報を付加する付加手段とを備える。【選択図】  図１１
2006139843.tif 000002
【特許請求の範囲】
【請求項１】
画像データを含む画像ファイルを記録媒体に記録する記録手段と、
前記記録媒体に記録された画像データの再生順序を示すプレイリストを生成するプレイリスト処理手段と、
前記記録媒体に記録された画像ファイルのうち、前記プレイリスト処理手段により生成されたプレイリストにて参照されている画像ファイルに対して前記プレイリストにより指定されていることを示すリンク情報を付加する付加手段とを備える記録装置。
【請求項２】
前記記録媒体に記録された複数の画像ファイルより任意に画像ファイルを選択し、前記選択した画像ファイルの削除を指示する削除指示手段と、
前記削除指示手段により選択された画像ファイルに付加されたリンク情報に基づいて前記選択された画像ファイルを削除するか否かを決定する制御手段とを備えることを特徴とする請求項１記載の記録装置。
【請求項３】
前記制御手段は、前記選択された画像ファイルが何れのプレイリストからも参照されていない場合には前記選択された画像ファイルを前記記録媒体より削除し、何れかのプレイリストから参照されていた場合には削除を禁止することを特徴とする請求項２記載の記録装置。
【請求項４】
前記リンク情報は前記画像ファイルを参照しているプレイリストの数を示すことを特徴とする請求項１記載の記録装置。
【請求項５】
画像データを含む画像ファイルを記録媒体に記録する記録工程と、
前記記録媒体に記録された画像データの再生順序を示すプレイリストを生成するプレイリスト処理工程と、
前記記録媒体に記録された画像ファイルのうち、前記プレイリスト処理工程により生成されたプレイリストにて参照されている画像ファイルに対して前記プレイリストにより指定されていることを示すリンク情報を付加する付加工程とを有する記録方法。
【発明の詳細な説明】
【技術分野】
【０００１】
本発明は記録装置に関し、特に画像データなどの情報データを記録する装置に関する。
【背景技術】
【０００２】
従来、画像データなどをＤＶＤなどのディスク媒体に記録する装置が知られている。
【０００３】
この種の装置では、ディスクに記録した複数のタイトルの画像データの再生順序を指定したプレイリストを生成し、このプレイリストを利用して画像データを再生することで、非破壊編集機能を持つものも登場している（例えば、特許文献１参照）。
【０００４】
また、プレイリストに指定されたオリジナルのタイトルをディスクから削除する場合、それに伴ってプレイリストを削除したり、或いは、プレイリストの内容を書き換えたりすることも行われている。
【特許文献１】特開２００２−２７９７６５号公報
【発明の開示】
【発明が解決しようとする課題】
【０００５】
前述のディスク記録装置において、オリジナルのタイトルをディスクから削除する場合、前述の様なプレイリスト機能を持つ装置では、そのタイトルがプレイリストにて指定されていることを検出でき、その旨をユーザに知らせることができる。
【０００６】
しかしながら、このディスクに記録されたデータをＰＣなどのディスクドライブを利用して削除しようとした場合、プレイリスト機能がないため、削除しようとするタイトルがプレイリストにて指定されているデータであることを判別できず、プレイリストに指定されているタイトルにもかかわらず削除してしまうという問題がある。
【０００７】
本発明はこの様な問題を解決し、プレイリストに指定されたデータを容易に認識可能とすることを目的とする。
【課題を解決するための手段】
【０００８】
本発明は、画像データを含む画像ファイルを記録媒体に記録する記録手段と、前記記録媒体に記録された画像データの再生順序を示すプレイリストを生成するプレイリスト処理手段と、前記記録媒体に記録された画像ファイルのうち、前記プレイリスト処理手段により生成されたプレイリストにて参照されている画像ファイルに対して前記プレイリストにより指定されていることを示すリンク情報を付加する付加手段とを備える。
【発明の効果】
【０００９】
本発明によれば、記録媒体に記録されているデータがプレイリストに指定されたものであるか否かを容易に検出でき、誤って削除してしまうことを防止することができる。
【発明を実施するための最良の形態】
【００１０】
動画や静止画を記録媒体に記録し、且つ再生することができるビデオカムコーダの例で説明する。
【００１１】
ここでは、本発明に関わる特徴的な機能及び使用方法を中心に説明する。
【００１２】
図１に本形態のカムコーダの構成を示す。カムコーダ本体が破線で囲まれた１００である。これに主として動画を記録するためのＤＶＤなどの第１の記録媒体１０１、主として静止画を記録するためのメモリカードなどの第２の記録媒体１０２がそれぞれ本体に対して着脱が可能となっている。またＰＣ１０３に対してと本体も接続可能であり、本体とＰＣの間でデータ転送が双方向に可能である。
【００１３】
本体内部は、１はレンズやシャッタ、絞りなどの光学部材、２は光学部材により入力した被写体像を撮像するＣＣＤ、ＣＭＯＳなどの撮像素子、３は音声を入力するマイクロフォン、４は撮像素子２から出力される画像データやマイクロフォン３で捕らえた音声データを記録または再生に適するよう、画像処理、音声処理をおこなう信号処理手段、５は全体の制御を司るＣＰＵ、６は画像や音声さらには、ＣＰＵ５が各種処理のためのデータを一時的に格納するＤＲＡＭなどのメモリ手段、７はメモリ手段に対して、データの読み書きのためにメモリアドレス制御やデータ転送を制御するためのメモリ制御部、８はＤＶＤなどの記録媒体１に対してデータの読み書きやディスクの回転制御を行うディスクドライブ装置、９はメモリカードなどの記録媒体２に対してデータの読み書きのためにメモリアドレス制御やデータ転送を制御するためのメモリカードコントローラ、１０はＰＣとの接続のためのＵＳＢなどの通信インターフェース２０は本体に装着されたＬＣＤなどの表示装置、１１は表示装置に対してデータの転送を制御するための表示制御部２１は本体に装着された音声を再生するためのスピーカなどの音声出力手段、１２はスピーカを駆動するためのＤＡやアンプなどの音声駆動手段、２２は、モードダイヤルやシャッタボタンなど本体に対して操作指示を与えるための操作手段、１３は、操作手段からの入力をＣＰＵ５に対して割り込み信号や各種スイッチの状態を伝えるための操作インターフェース手段、２３は、操作に対して警告を促すためのＬＥＤ、１４はＬＥＤ２３の駆動手段である。
【００１４】
上記以外が本発明に関わる主な手段及び部材であるが、実際のビデオカムコーダは、上記説明のもの以外にも種々の部材により構成されているが、ここではその詳細説明は省く。
【００１５】
まずファイルの再生順序を記したプレイリストファイルの作成について述べる。
【００１６】
通常は再生、または編集の際にファイルの再生順を決定し作成する。例えばプレゼンテーションのために説明の音声を一緒に再生したり、自動的に数秒毎に再生ファイルを切り替える所謂スライドショーを実現するプレイリストも作成可能である。
【００１７】
プレイリストとしては図３のように再生する順番と時間と対応するファイルを関連付けした管理ファイルとなる。
【００１８】
ここで、例えば静止画をメモリカードに複数枚数、記録した場合の簡単なプレイリストを例に述べる。図２はメモリカードに記録されたファイルの様子を示す図である。ここでは、図２に示すように１６枚の静止画が記録されているものとする。
【００１９】
そして、これらの静止画のうちの２枚の静止画をそれぞれ１０秒再生するという簡単プレイリストファイル１を作成したとする。ここで静止画はデジタルカメラで一般的なＪＰＥＧ画像でありＥＸＩＦ形式で記録されているものとする。ＥＸＩＦ形式は画像データとともに撮影条件などの付帯情報を記録できるものである。ＥＸＩＦ規格においては、付帯情報として撮影条件以外にユーザ領域が設けられている。このユーザ領域は、ユーザまたは機器で独自定義の情報を記録することができる。
【００２０】
本形態では、リンク関連情報をコンテンツファイル内に格納することを特徴するが、本実施例では特に、コンテンツであるＪＰＥＧファイルのＥＸＩＦのユーザ領域にリンク関連情報を記載するものである。また静止画像ＪＰＥＧファイルのフォーマットのＥＸＩＦのプライベート領域にベンダー固有の情報を記録する例として多くのものがあるので、ここではＥＸＩＦの構造など詳細の説明は省略する。
【００２１】
ここで目的の静止画ファイルを関連付けした場合、目的の静止画ファイルをＯＰＥＮし、所定のエリア、ここではＥＸＩＦのユーザ領域にプレイリストと関連付けされたことを示す情報を付加する。
【００２２】
つまりここでのリンク情報は、図４のようにファイル１は内部リンク数１となる。ファイル２についても内部リンク数１となる。
【００２３】
以上がカード内のリンクの場合、且つリンク数制限がない場合である。
【００２４】
次に上記のように作成されたファイルを消去する場合を考える。ここでは、リンク数が０か否かによって消去可能か否かを判断する。
【００２５】
これを図１１のフローチャートで説明する。
【００２６】
リンクされていないファイル７つのうちの１つを、操作者が操作手段２２等で指示する。（Ｓ１）ここでは、ＩＭＧ００３．ｊｐｇを削除するものとする。ＩＭＧ００３．ｊｐｇファイルをＯＰＥＮし、ＥＸＩＦユーザエリアのリンクデータを読み込む。（Ｓ２）そしてリンク数を確認し（Ｓ３）、０であるので、そのまま削除する。（Ｓ４）
リンクされているファイル、ＩＭＧ００１．ｊｐｇを削除する場合を説明する。
【００２７】
まず上記と同様に削除するファイルを指示する。（Ｓ１）そしてＩＭＧ００１．ＪＰＧファイルをＯＰＥＮし、ＥＸＩＦユーザエリアのリンクデータを読み込む。（Ｓ２）しかしリンク数を調べ（Ｓ３）、この場合はリンク数が１なので警告を促す（Ｓ５）操作者は警告によってこのファイルがプレイリストで使われている（リンクされている）ことが分かる。操作者の指示を判断し（Ｓ６）リンクされていることを承知で削除する場合は、ＣＰＵ５はプレイリストファイルをＯＰＥＮし、そのプレイリストを編集し更新する（Ｓ７）具体的にはＩＭＧ００１．ＪＰＧをリスト上から削除する。そしてこのプレイリストファイルをＣＬＯＳＥし、コンテンツファイルＩＭＧ００１．ｊｐｇを削除する。（Ｓ８）
本形態では、この様に画像ファイルに対してプレイリストに指定されていることを示すリンク情報を記録しているので、プレイリスト機能を持たないＰＣなどで画像ファイルを削除する場合にも、そのファイルがプレイリストにより指定されているか否かを容易に認識することが可能となる。
【００２８】
（変形例１）
次にカード内にリンク情報を記録し且つリンク数に制限を設けるについて説明する。前述の場合と同様に静止画ファイルが１０個記録されているものとする。リンク数を２つに制限した場合で説明する。
【００２９】
既にプレイリスト１としてＩＭＧ００１．ＪＰＧ、ＩＭＧ００２．ＪＰＧ、ＩＭＧ００３．ＪＰＧの順で、各コンテンツの再生時間はそれぞれ１０秒として登録されているものとする。
【００３０】
次にプレイリスト２を登録する。これはＩＭＧ００１．ＪＰＧを１０秒再生、その他の９枚はＩＭＧ００２．ＪＰＧからＩＭＧ０１０．ＪＰＧ２秒で登録するとする。その場合、まずプレイリスト２のファイルを新規作成し、図５に示すように、ＩＭＧ００１．ＪＰＧからＩＭＧ０１０．ＪＰＧの順で１０のコンテンツを登録し、ＩＭＧ００１．ｊｐｇだけ１０秒再生、その他は２秒再生として登録する。
【００３１】
次に、ＩＭＧ００１．ＪＰＧから順に各コンテンツのリンク情報内のリンク数カウンタを更新する。ここでは、図６に示すように全てのコンテンツがリンク数が３より少ないのでそのまま更新完了する。
【００３２】
次にプレイリスト３の作成を試みる。これを図１２で説明する。
【００３３】
ＩＭＧ００３．ＪＰＧ、ＩＭＧ００４．ＪＰＧ、ＩＭＧ００５．ＪＰＧ  の順に１０秒ずつ再生するものとする。まずプレイリスト３のファイルを新規作成し（Ｓ２０）、ＩＭＧ００３．ＪＰＧ、ＩＭＧ００４．ＪＰＧ、ＩＭＧ００５．ＪＰＧの順でそれぞれ１０秒再生として図７のように仮登録する（Ｓ２１）。次に、ＩＭＧ００３．ＪＰＧから順に各コンテンツのリンク情報内のリンク数カウンタ読み込む（Ｓ２２）。そしてそれぞれのコンテンツに対してリンクが上限値かどうかを判断する（Ｓ２３）。ここではＩＭＧ００３．ＪＰＧはプレイリスト１、２で既に登録されているので、リンク数が２になっている。よってプレイリスト３で登録するとリンク制限２を超えることになるので、リンクは不可能である。そこで、ＩＭＧ００３．ＪＰＧがリンクできないことを操作者に警告し判断を促す（Ｓ２４）。
【００３４】
よって操作者は所定の操作によりＩＭＧ００３．ＪＰＧを除いたＩＭＧ００４．ＪＰＧ、ＩＭＧ００５．ＪＰＧだけでのプレイリスト３として登録をするか、プレイリスト３そのものの作成をキャンセルするかを指示する。
【００３５】
その指示をＣＰＵ５が判断し（Ｓ２５）、図８のようにＩＭＧ００３．ＪＰＧを除いてプレイリスト３とし再登録し（Ｓ２８）、引き続きＩＭＧ００４．ＪＰＧとＩＭＧ００５．ＪＰＧの各コンテンツのリンク情報内のリンク数カウンタを図９のように更新する。ここでは全てのコンテンツがリンク数が３より少ないものになる。
【００３６】
次にさらにコンテンツをプレイリストに追加登録するか否かを判断し（Ｓ２９）、追加すべきコンテンツがあればＳ２１へ、無ければプレイリストを保存（Ｓ３０）し終了する。
【００３７】
Ｓ２５にてプレイリスト３そのものの作成をキャンセルされれば他のコンテンツのリンク情報は更新されることなく、またプレイリスト３も保存せず破棄し（Ｓ２６）そのまま終了する。
【００３８】
次に上記のように作成されたファイルを消去する場合を考える。これを図１１で説明する。ここでは、リンク数が０か否かによって削除すべきか否かを判別する。リンクされていないファイルの消去は前述の実施形態と同じであるので、ここではリンク数が２以上のＩＭＧ００３．ＪＰＧを消去する場合を説明する。
【００３９】
ＩＭＧ００３．ｊｐｇの削除を、操作者が操作手段２２等で指示する（Ｓ１）。続いてＩＭＧ００３．ｊｐｇファイルをＯＰＥＮし、ＥＸＩＦユーザエリアのリンクデータを読み込む（Ｓ２）。そしてリンク数が０か否かを確認する（Ｓ３）。ここではリンク数が２でなので、図１０のような警告を促す（Ｓ５）。操作者は警告によってこのファイルがプレイリストで使われている（リンクされている）ことが分かる。操作者の指示を判断し（Ｓ６）、ＣＰＵ５はこの指示を受けて存在するプレイリストファイルを全てＯＰＥＮし、ＩＭＧ００３．ＪＰＧを参照しているプレイリストを検索する。その結果ここではプレイリスト１（図４）とプレイリスト２（図５）でＩＭＧ００３．ＪＰＧを参照していることがわかるので、それぞれのプレイリストを編集しＩＭＧ００３．ＪＰＧをリスト上から削除する（Ｓ７）。そしてこのプレイリストファイルをＣＬＯＳＥし、コンテンツファイルＩＭＧ００３．ｊｐｇを削除する（Ｓ８）。
【００４０】
上記例ではプレイリストの編集でコンテンツを追加したために、コンテンツ内のリンクカウンタは増やす方向に更新した。しかし、もちろん、プレイリスト編集でコンテンツを登録から削除することもある。プレイリスト上の登録削除することが、そのままコンテンツを削除することにはつながらない。よって、プレイリスト編集でコンテンツを登録から削除されたコンテンツは、そのコンテンツファイル内のリンクカウンタ数を減少させる方向に更新することになる。これにより、プレイリストとコンテンツ内のリンク数の整合が保たれることになる。
【００４１】
上記実施例では特にＪＰＥＧ静止画の例としてＥＸＩＦのユーザエリアにリンク情報を記載するものとしたが、これはＥＸＩＦのユーザエリアに限らない。別の静止画フォーマットの場合は別途リンク情報格納エリアを用意すれば良い。動画の場合も同様である。
【００４２】
またユーザエリアでなく、予めコンテンツ内にリンク情報を格納するためのエリアを規格として設けてもよい。そうすれば、規格準拠の製品間であれば他社製品であっても使用可能な互換性が確保できる。
【図面の簡単な説明】
【００４３】
【図１】実施形態におけるカムコーダのブロック図である。
【図２】メモリカード上に記録されるデータの様子を示す図である。
【図３】プレイリストの例を示す図である。
【図４】リンク情報の例を示す図である。
【図５】プレイリストの例を示す図である。
【図６】リンク情報の例を示す図である。
【図７】プレイリストの例を示す図である。
【図８】プレイリストの例を示す図である。
【図９】リンク情報の例を示す図である。
【図１０】削除指示動作を示すフローチャートである。
【図１１】プレイリスト作成処理を示すフローチャートである。
【図１】
2006139843.tif 000003
【図２】
2006139843.tif 000004
【図３】
2006139843.tif 000005
【図４】
2006139843.tif 000006
【図５】
2006139843.tif 000007
【図６】
2006139843.tif 000008
【図７】
2006139843.tif 000009
【図８】
2006139843.tif 000010
【図９】
2006139843.tif 000011
【図１０】
2006139843.tif 000012
【図１１】
2006139843.tif 000013